(57)【要約】【課題】本発明は、汚物が飛散することを確実に防止でき、和式便器の周辺が汚れることがない補助便具および和式便器用の便器椅子を提供することを課題とする。【解決手段】和式便器２の上に設置される筒状の基台部３と、該基台部３に取り付けられる筒状のガイド部４とからなり、該ガイド部４は該基台部３に対して上下摺動可能とされており、該ガイド部４にはフランジ部７が設けられ、該フランジ部７を介して該和式便器２の上に設置される和式便器用の便器椅子１０に取り付けられている補助便具１を提供する。また、和式便器２の上に設置され、座部２１の下側には上記の補助便具１が取り付けられており、脚部１２の長さを調節することによって該座部２１の高さが調節可能とされている和式便器用の便器椅子１０を提供する。【選択図】    図２
2005323656.tif 000002
【特許請求の範囲】
【請求項１】
和式便器の上に設置される筒状の基台部と、該基台部に取り付けられる筒状のガイド部とからなる補助便具であって、該ガイド部は該基台部に対して上下摺動可能とされており、該ガイド部には取付部が設けられ、該取付部を介して該和式便器の上に設置される和式便器用の便器椅子に取り付けられていることを特徴とする補助便具。
【請求項２】
該ガイド部は該基台部に対して左右回動可能とされている請求項１に記載の補助便具。
【請求項３】
和式便器の上に設置される和式便器用の便器椅子であって、便器椅子の座部には開口部が設けられ、該座部の下側には請求項１または請求項２に記載の補助便具が取り付けられており、また、便器椅子の脚部は長さ調節可能とされ、該脚部の長さを調節することによって該座部の高さは調節可能とされていることを特徴とする和式便器用の便器椅子。
【発明の詳細な説明】
【技術分野】
【０００１】
本発明は補助便具と、該補助便具を取り付けた和式便器用の便器椅子に関する。
【背景技術】
【０００２】
従来、和式便器で用を足す際に膝を曲げた排泄姿勢をとることが困難な使用者、例えば高齢者や体の不自由な人などのために、和式便器の上に設置して、和式便器を洋式便器のように簡便に利用できるようにした排便用腰掛けが提供されている（特許文献１参照）。
そして、排便用腰掛けの脚部には伸縮機構部が装備されており、該脚部を伸縮させることによって、該排便用腰掛けは任意の高さに調節可能とされている。また、該排便用腰掛けには排便集合袋体が取り付けられており、該排便集合袋体によって外部が汚れるのを防止できるようにされている。
【０００３】
【特許文献１】実公昭５１−３２２７１号公報（第１−２頁、第３図）
【発明の開示】
【発明が解決しようとする課題】
【０００４】
しかしながら上記従来の排便用腰掛けでは、該排便集合袋体に高さ調節機構が設けられていないため、排便用腰掛けの脚部を伸縮させて該排便用腰掛けの高さを調節した場合に、該排便集合袋体の高さを調節することができず、したがって、特に該排便用腰掛けの高さを高くしたときには、該排便集合袋体の下側に隙間が生じ、該隙間から汚物が飛散して和式便器の周辺が汚れてしまうおそれがあるという問題があった。
【課題を解決するための手段】
【０００５】
本発明は上記従来の課題を解決するための手段として、和式便器２の上に設置される筒状の基台部３と、該基台部３に取り付けられる筒状のガイド部４とからなる補助便具１であって、該ガイド部４は該基台部３に対して上下摺動可能とされており、該ガイド部４には取付部７が設けられ、該取付部７を介して該和式便器２の上に設置される和式便器用の便器椅子１０に取り付けられている補助便具１を提供するものである。
該ガイド部４は該基台部３に対して左右回動可能に取り付けられていることが望ましい。
また本発明では、和式便器２の上に設置される和式便器用の便器椅子１０であって、便器椅子１０の座部２１には開口部２２が設けられ、該座部２１の下側には上記の補助便具１が取り付けられており、また、便器椅子１０の脚部１２は長さ調節可能とされ、該脚部１２の長さを調節することによって該座部２１の高さは調節可能とされている和式便器用の便器椅子１０が提供される。
【発明の効果】
【０００６】
本発明の補助便具１および和式便器用の便器椅子１０では、補助便具１のガイド部４が基台部３に対して上下摺動可能とされているため、和式便器用の便器椅子１０の座部２１の高さを調節した場合に、該便器椅子１０の座部２１の高さ調節に追従して、該補助便具１のガイド部４が上下に摺動する。このとき、該補助便具１の基台部３は和式便器２の上に設置された状態のままであり、該補助便具１の基台部３とガイド部４との間に隙間が生じることはないので、該補助便具１の基台部３とガイド部４によって汚物が飛散することが確実に防止され、したがって和式便器２の周辺が汚れることがない。
また、該補助便具１のガイド部４が、和式便器２の上に設置した基台部３に対して左右回動可能に取り付けられていれば、和式便器２に対する向きを変えて便器椅子１０を設置した場合であっても、和式便器２の上に設置した補助便具１の基台部３に対してガイド部４を左右に回動させることによって、該補助便具１のガイド部４の向きを該便器椅子１０の向きに合わせることができる。
【発明を実施するための最良の形態】
【０００７】
以下、本発明を実施例１および実施例２により詳細に説明する。
【実施例１】
【０００８】
本発明を図１〜図５に示す一実施例によって説明する。
図１に示すように、補助便具１は、和式便器２の上に設置される樹脂製の筒状の基台部３と、該基台部３に上下摺動可能に取り付けられる樹脂製の筒状のガイド部４とからなる。
【０００９】
該基台部３の上部には、長円形の開口部５が形成されており、該基台部３の下部は、和式便器２の後部の形状に対応した形状とされている。
すなわち、該基台部３の下部の一端部および両側端部は、和式便器２の後部の形状に応じて略Ｕ字形状とされており、一方、該基台部３の下部の他端部は、略アーチ状に開口されている。
また、該基台部３の下部の四隅には、足引き部６が設けられており、使用者が立ち上がる際に足を引くためのスペースが確保されている。
【００１０】
該ガイド部４の上部の周縁には、取付部であるフランジ部７が設けられており、該ガイド部４の下部には、該基台部３の開口部５の形状に対応した長円形の係止段部８を介して、長円筒形の挿着筒部９が設けられている。
【００１１】
図２および図３に示すように、該補助便具１が取り付けられる和式便器用の便器椅子１０は、左右一対の側枠１１と、該左右の側枠１１の前後にそれぞれ取り付けられる四本の脚部１２と、該左右一対の側枠１１の後部上側に差し渡されるコの字状の背枠１３を有している。該背枠１３の中央部には、樹脂製の背もたれ１４が取り付けられており、該左右の側枠１１の中央部には、左右一対の樹脂製の肘掛け１５がそれぞれ跳ね上げ可能に取り付けられている（図５参照）。
【００１２】
また、該左右一対の側枠１１の前部には、前枠１６が差し渡されており、また、該左右一対の側枠１１の後部には、後枠１７が差し渡されている。該前枠１６には左右一対のリンク杆１８が取り付けられており、該リンク杆１８の後端部は該後枠１７に枢着され、該前枠１６は前側から跳ね上げ可能とされている（図４参照）。
そして、該左右一対のリンク杆１８には、断面コの字状のレール部１９を有するレール部材２０がそれぞれ取り付けられている（図３および図４参照）。
【００１３】
更に、該前枠１６と該後枠１７との間には、樹脂製の座部２１が差し渡されている。該座部２１には中央部から前部にかけて開口部２２が設けられており、該座部２１は略Ｕ字状とされている。該座部２１の下面には、左右一対の把持部２３がそれぞれ設けられており、該座部２１を差し渡した状態（使用状態）において、該把持部２３で該前枠１６を把持することにより、該座部２１が安定した状態とされている。また、該座部２１の後縁部には左右一対のリンク短杆２４が取り付けられており、該リンク短杆２４の後端部は該後枠１７に枢着され、該座部２１は前側から跳ね上げ可能とされている（図４参照）。
【００１４】
該便器椅子１０の脚部１２は、該側枠１１の下端部に上下摺動可能に外嵌されている。該側枠１１の下端部には、係止ピン２５が突出方向にバネ付勢された状態で取り付けられており、該脚部１２には、三個の係止ピン挿通孔２６が縦列して設けられている（図２〜図５参照）。
また、脚部１２の下端部には、滑り止めのためのゴム脚２７がそれぞれ取り付けられており、更に、後側の脚部１２の間には、補助枠２８が差し渡されている。
【００１５】
該和式便器用の便器椅子１０に該補助便具１を取り付ける場合には、該補助便具１のガイド部４のフランジ部７を、該便器椅子１０のレール部材２０のレール部１９に前側からスライド嵌合させて係止させる。
このようにして、該フランジ部７を介して該便器椅子１０に該補助便具１を取り付けた後、該補助便具１の基台部３を和式便器２の後部を覆うように設置し、該便器椅子１０に取り付けた補助便具１のガイド部４の挿入筒部を、該補助便具１の基台部３の開口部５に上側から挿入するとともに、該和式便器２の上に該便器椅子１０を設置する。
【００１６】
該便器椅子１０の座部２１の高さを調節する場合には、該脚部１２の係止ピン挿通孔２６から突出している係止ピン２５を、バネ付勢力に抗して押し込んで係止ロックを解除し、脚部１２を上下に摺動させて長さを調節し、他の係止ピン挿通孔２６から係止ピン２５を突出させて係止ロックさせる。このようにして、該便器椅子１０の脚部１２の長さを調節することによって、該便器椅子１０の座部２１の高さを調節することができる。
【００１７】
また、便器椅子１０の不使用時には、図５に示すように、該便器椅子１０から補助便具１を取り外した後、座部２１を前枠１６から取り外して跳ね上げて、その後に該前枠１６を跳ね上げる。そして、左右の肘掛け１５を跳ね上げた後に、左右の側枠１１を内側に折り畳むことによって、該便器椅子１０は折畳み収納することができる。
【００１８】
上記のように、便器椅子１０の脚部１２が長さ調節可能とされ、該脚部１２の長さを調節することによって該座部２１の高さが調節可能とされているので、使用者の体型に応じて該座部２１の高さを調節することができる。
【００１９】
そして、補助便具１のガイド部４が基台部３に対して上下摺動可能とされているため、和式便器用の便器椅子１０の座部２１の高さを調節した場合に、該便器椅子１０の座部２１の高さ調節に追従して、該補助便具１のガイド部４が上下に摺動する。このとき、該補助便具１の基台部３は和式便器２の上に設置された状態のままであり、該補助便具１の基台部３とガイド部４との間に隙間が生じることはないので、該補助便具１の基台部３とガイド部４によって汚物が飛散することが確実に防止され、したがって和式便器２の周辺が汚れることがない。
【００２０】
また、上記のように、該便器椅子１０は、不使用時には折畳み収納することができるので、狭いトイレでもスペースをとることなく収納することができる。
【実施例２】
【００２１】
図６には他の実施例が示される。
本実施例では、図１〜図５に示した前実施例に対して、補助便具１は、和式便器２の上に設置される樹脂製の筒状の基台部３と、該基台部３に上下摺動可能かつ左右回動可能に取り付けられる樹脂製の筒状のガイド部４とからなる。
【００２２】
すなわち、該基台部３の上部には、円形の開口部５が形成されており、該ガイド部４の下部には、該基台部３の開口部５の形状に対応した円形の係止段部８を介して、円筒形の挿着筒部９が設けられている。
【００２３】
本実施例の補助便具１でも、前実施例と同様の作用効果を奏することができる。
更に、本実施例では、該補助便具１のガイド部４が、和式便器２の上に設置した基台部３に対して左右回動可能に取り付けられているので、和式便器２に対する向きを変えて便器椅子１０を設置した場合であっても、和式便器２の上に設置した補助便具１の基台部３に対してガイド部４を左右に回動させることによって、該補助便具１のガイド部４の向きを該便器椅子１０の向きに容易に合わせることができる。
したがって、本実施例の補助便具１は、使用状況に応じて容易に向きを変えることができ、狭いトイレでも使い勝手が良好である。
【００２４】
以上、本発明の実施の形態を実施例により説明したが、本発明の範囲はこれらに限定されるものではなく、請求項に記載された範囲内において目的に応じて変更・変形することが可能である。
例えば、上記実施例以外、断面コの字状のレール部１９を有するレール部材２０は、便器椅子１０の座部２１の下面に直接取り付けられていてもよい。
【産業上の利用可能性】
【００２５】
本発明は、汚物が飛散することを確実に防止でき、和式便器の周辺が汚れることがない補助便具および和式便器用の便器椅子として、産業上利用することが出来る。
【図面の簡単な説明】
【００２６】
【図１】本実施例の補助便具の分解斜視図である。
【図２】本実施例の補助便具を取り付けた和式便器用の便器椅子（使用状態）の説明斜視図である。
【図３】本実施例の補助便具を取り付けた和式便器用の便器椅子（使用状態）の説明側面図である。
【図４】和式便器用の便器椅子（座部跳ね上げ状態）の斜視図である。
【図５】和式便器用の便器椅子（折畳み状態）の斜視図である。
【図６】他の実施例の補助便具の分解斜視図である。
【符号の説明】
【００２７】
１  補助便具
２  和式便器
３  基台部
４  ガイド部
７  取付部（フランジ部）
１０  便器椅子
１２  脚部
２１  座部
２２  開口部
【図１】
2005323656.tif 000003
【図２】
2005323656.tif 000004
【図３】
2005323656.tif 000005
【図４】
2005323656.tif 000006
【図５】
2005323656.tif 000007
【図６】
2005323656.tif 000008